(57)【特許請求の範囲】
【請求項１】
Ｗｉ−Ｆｉ（wireless  fidelity）信号より低い通信周波数を有する遠隔制御システムであって、
制御インタフェース、
Ｗｉ−Ｆｉ信号を介して前記制御インタフェースと双方向通信するために前記制御インタフェースに接続されるＷｉ−Ｆｉルータ、
前記Ｗｉ−Ｆｉルータに接続され、前記Ｗｉ−Ｆｉルータから出力されたＷｉ−Ｆｉ信号を低周波数信号にダウンコンバートし、前記低周波数信号を前記Ｗｉ−Ｆｉ信号にアップコンバートするルータブリッジ、
前記低周波数信号を介して前記ブリッジと双方向通信するために前記ブリッジに接続される第１の低周波数制御モジュール、
を有する遠隔制御システム。
【請求項２】
前記低周波数信号を介して前記第１の低周波数制御モジュールと双方向通信するために前記第１の低周波数制御モジュールに接続されるアクセスポイント、
を更に有する請求項１に記載の遠隔制御システム。
【請求項３】
前記低周波数信号を介して前記アクセスポイントと双方向通信するために前記アクセスポイントに接続される第２の低周波数制御モジュール、
を更に有する請求項２に記載の遠隔制御システム。
【請求項４】
前記Ｗｉ−Ｆｉルータへ画像信号を送信するために前記Ｗｉ−Ｆｉルータに接続されるドアロックシステム、
を更に有する請求項１に記載の遠隔制御システム。
【請求項５】
前記低周波数信号を介して前記第１の低周波数制御モジュールと双方向通信するために前記第１の低周波数制御モジュールに接続されるスイッチ、
を更に有する請求項１に記載の遠隔制御システム。
【請求項６】
環境条件に従って検知信号を生成し、前記検知信号に従って前記遠隔制御システムを制御するために前記検知信号を前記第１の低周波数制御モジュールへ送信するために前記第１の低周波数制御モジュールに接続されるセンサ、
を更に有する請求項１に記載の遠隔制御システム。
【請求項７】
前記第１の低周波数制御モジュールは、赤外線信号を放射する赤外放射体を有する、請求項１に記載の遠隔制御システム。
【請求項８】
前記遠隔制御システムに電力を供給する電源、
を更に有する請求項１に記載の遠隔制御システム。
【請求項９】
前記制御インタフェースは、ポータブルモバイル装置のインタフェース又はコンピュータのインタフェースである、請求項１に記載の遠隔制御システム。
【請求項１０】
前記第１の低周波数制御モジュールは、ＦＳＫ（frequency  shift  keying）変調を用いる双方向無線周波数（ＲＦ）制御モジュールである、請求項１に記載の遠隔制御システム。
【発明の詳細な説明】
【技術分野】
【０００１】
本発明は、遠隔制御システムに関し、より詳細には、Ｗｉ−Ｆｉ信号より低い通信周波数を有する遠隔制御システムに関する。
【背景技術】
【０００２】
無線ネットワークの開発に伴い、無線ネットワークを介して制御可能な種々の高性能家電が市場に流入している。無線ネットワークを介して装置を制御することの１つの利点は、複数の装置が単一のインタフェースにより制御できることである。通常、Ｗｉ−Ｆｉ又はＢｌｕｅｔｏｏｔｈ（登録商標）ネットワークが用いられ、高性能家電を制御する制御信号を送受信する。しかしながら、Ｗｉ−Ｆｉ又はＢｌｕｅｔｏｏｔｈ（登録商標）の送信距離は短いので（Ｗｉ−Ｆｉの実効送信距離は訳００メートル、Ｗｉ−Ｆｉアクセスポイントの送信距離は室内で約３０メートル、Ｂｌｕｅｔｏｏｔｈ（登録商標）の送信距離は約１０メートルである）、将来の傾向としては、更に遠くの場所に置かれた高性能家電を制御するために、送信距離を増大し、無線信号が室内の仕切りにより遮断される可能性を低減させることである。
【発明の概要】
【発明が解決しようとする課題】
【０００３】
Ｗｉ−Ｆｉ信号より低い通信周波数を有する遠隔制御システムを提供する。
【課題を解決するための手段】
【０００４】
本発明の一実施形態は、Ｗｉ−Ｆｉ信号より低い通信周波数を有する遠隔制御システムを開示する。遠隔制御システムは、制御インタフェース、Ｗｉ−Ｆｉルータ、ブリッジ、及び低周波数制御モジュールを有する。Ｗｉ−Ｆｉルータは、Ｗｉ−Ｆｉ信号を介して制御インタフェースと双方向通信するために制御インタフェースに接続される。ブリッジは、Ｗｉ−Ｆｉルータから出力されたＷｉ−Ｆｉ信号を低周波数信号にダウンコンバートし、低周波数信号をＷｉ−Ｆｉ信号にアップコンバートするために、Ｗｉ−Ｆｉルータに接続される。低周波数制御モジュールは、低周波数信号を介してブリッジと双方向通信するためにブリッジに接続される。
【発明の効果】
【０００５】
本発明は、遠隔制御システムの装置を制御するために、高周波数Ｗｉ−Ｆｉ信号を低周波数信号にダウンコンバートできる。低周波数信号の理想的な送信距離は、１乃至２キロメートルに到達できる。これは、Ｗｉ−Ｆｉ信号又はＢｌｕｅｔｏｏｔｈ（登録商標）信号の送信距離よりも遙かに長い。さらに、低周波数信号は、室内仕切りにより遮断されることが少なく、広範な無線送信領域をカバーし、それによりＷｉ−Ｆｉ信号又はＢｌｕｅｔｏｏｔｈ（登録商標）信号に固有の短い送信距離のような欠点を解決する。
【０００６】
本発明のこれらの及び他の目的は、以下の、種々の図面に示された好適な実施形態の詳細な説明を読んだ後に当業者に明らかになるだろう。
【図面の簡単な説明】
【０００７】
【図１】本発明の実施形態による遠隔制御システムを示す図である。
【図２】本発明の別の実施形態による遠隔制御システムを示す図である。
【図３】本発明の別の実施形態による遠隔制御システムを示す図である。
【発明を実施するための形態】
【０００８】
図１は、本発明の実施形態による遠隔制御システム１００を示す図である。遠隔制御システム１００は、制御インタフェース１０２、Ｗｉ−Ｆｉ（wireless  fidelity）ルータ１０４、ブリッジ１０６、第１の低周波数制御モジュール１０８、スイッチ１１０、センサ１１２、ドアロックシステム１１４を有し得る。遠隔制御システム１００は、遠隔制御システム１００の複数の装置に電力を供給する少なくとも１つの電源を更に有しても良い。遠隔制御システム１００の複数の装置は、高性能家電又は無線で制御可能な他の電子機器であっても良い。一実施形態では、ブリッジ１０６及び第１の低周波数制御モジュール１０８は、同じ筐体内に配置されても良い。
【０００９】
ユーザは、制御インタフェース１０２を用いて遠隔制御システム１００の各装置を無線で制御する。制御インタフェース１０２は、スマートフォン又はタブレットのようなポータブルモバイル装置のインタフェース、又はパーソナルコンピュータのインタフェース、又はタッチパネルのインタフェースであっても良い。ユーザが制御インタフェース１０２に制御命令を入力した後、制御インタフェース１０２は、Ｗｉ−Ｆｉルータ１０４と双方向通信するために、Ｗｉ−Ｆｉルータ１０４に接続するために、無線ネットワークを通じてＷｉ−Ｆｉ信号を送信しても良い。次に、Ｗｉ−Ｆｉルータ１０４は、ブリッジ１０６に接続するためにＷｉ−Ｆｉ信号を送出する。ブリッジ１０６は、ＦＳＫ（frequency  shift  keying、周波数偏移）変調を用いてＷｉ−Ｆｉ信号を２．４ＧＨｚから低周波数信号にダウンコンバートし、ユーザにより入力された制御命令を第１の低周波数制御モジュール１０８に接続する。本実施形態では、低周波数信号は４３３ＭＨｚであっても良いが、他の実施形態では低周波数信号は２．４ＧＨｚより低い他の周波数であっても良い。第１の低周波数制御モジュール１０８は、ＦＳＫ変調を用いる全二重双方向無線周波数（ＲＦ）制御モジュールであっても良い。第１の低周波数制御モジュール１０８は、ユーザにより入力された制御命令を、４３３ＭＨｚ低周波数信号を介して制御される準備のできた装置へ送出するよう構成される。第１の低周波数制御モジュール１０８は、ユーザにより設定されたパラメータを内部メモリに格納しても良い。
【００１０】
スイッチ１１０により受信された制御命令に従ってスイッチ１１０により装置を制御するために、スイッチ１１０は、第１の周波数制御モジュール１０８と双方向通信するために及びそれから低周波数信号を受信するために、第１の低周波数制御モジュール１０８に無線で接続される。本実施形態では、スイッチ１１０は、ＬＥＤ（light  emitting  diode）光源を制御し、ＬＥＤ光源の輝度を調整するよう構成されても良い。
【００１１】
センサ１１２は、環境条件に従って検知信号を生成し検知信号を第１の低周波数制御モジュール１０８へ送信するために、第１の低周波数制御モジュール１０８に無線で接続される。次に、低周波数制御モジュール１０８は、制御パラメータ及び検知信号に従って遠隔制御システム１００を制御する前に、検知信号をユーザにより設定された制御パラメータと比較する。つまり、遠隔制御システム１００により制御される装置のパラメータは、ユ―ザにより設定された制御パラメータに調整されても良い。センサ１１２は、無線煙センサ、無線ガスセンサ、無線振動センサ等であっても良い。センサ１１２は、環境温度、湿度、明るさ、煙又は他の条件を検知するよう構成されても良い。検知信号は、検知結果に従って生成され、第１の低周波数制御モジュール１０８へ送信される。第１の低周波数制御モジュール１０８は、検知信号及びユーザにより設定された制御パラメータに従って自動調整を実行するために調整量を計算するか、又は低周波数信号をＷｉ−Ｆｉ信号にアップコンバートするためにブリッジ１０６への低周波数信号を介してブリッジ１０６へ調整量を送信し、次にユーザが調整の決定を行うためにブリッジ１０６がＷｉ−Ｆｉ信号を制御インタフェース１０２へ返送しても良い。センサ１１２は、内部にセンサ１１２に電力を供給するソーラパネル及びバッテリを備えても良い。或いは、センサ１１２は、ＰＯＥ（power  over  Ethernet（登録商標））モジュールにより給電されるような外部電源により給電されても良い。センサ１１２は、電源機器から電力を受け、給電距離が約１００メートルにまで拡張されるようにする。
【００１２】
ドアロックシステム１１４は、監視領域の画像信号をＷｉ−Ｆｉルータ１０４へ送信するためにＷｉ−Ｆｉルータ１０４に無線で接続される。次に、Ｗｉ−Ｆｉルータ１０４は、ユーザが見るために画像信号を制御インタフェース１０２へ送信する。画像信号は大容量データを含むので、ドアロックシステム１１４は、画像信号をＷｉ−Ｆｉ信号を介して直接送信しても良い。ドアロックシステム１１４は、ＬＡＮ（local  area  network）、電話（ＴＥＬ）、ＳＩＭ（subscriber  identity  module）、ＳＭＳ（short  message  service）、Ｗｉ−Ｆｉ、インターネット電話、又は別の通信方法を介して通信しても良い。画像信号の圧縮フォーマット、解像度、ビデオ再生速度及びビットレートは、ドアロックシステム１１４のパラメータにより決定されても良い。例えば、画像信号の圧縮フォーマットは、Ｈ．２６４、ＭＰＥＧ−４、ＭＪＰＥＧ、又は他の種類のフォーマットであっても良い。画像信号の解像度は、ＮＴＳＣ７２０×４８０、ＮＴＳＣ３５２３×２４０、ＮＴＳＣ１７６×１２０、ＰＡＬ７２０×５７６、ＰＡＬ３５２×２８８、又はＰＡＬ１７６×１４４であっても良い。最大ビデオ再生速度は、ＮＴＳＣ７２０×４８０＠３０Ｈｚ又はＰＡＬ７２０×５７６＠２５Ｈｚであっても良い。ビットレートは、１６Ｋｂｐｓ乃至８Ｍｂｐｓの範囲内であっても良い。さらに、ユーザは、遠隔制御システム１００のインターネットプラットフォームにログインするか又は専用端末を用いて、ユーザがアカウント及びパスワード検証をパスした場合に、ビデオを再生し及び見ても良い。制御インタフェース１０２は、Ｗｉｎｄｏｗｓ（登録商標）８、Ａｎｄｒｏｉｄ、又はｉＯＳオペレーティングシステムに対応するスマートフォンであっても良い。スマートフォンは、ビデオを遠隔再生するのに用いられても良い。別の実施形態では、ドアロックシステム１１４が画像信号を送信する必要がない場合、ドアロックシステム１１４は、第１の低周波数制御モジュール１０８及びブリッジ１０６を介して低周波数信号により他の信号を送信しても良い。ドアロックシステム１１４は、監視領域の画像を記録できる記録機能を有しても良い。さらに、ドアロックシステム１１４は、顔認識機能又は赤外線暗視機能を有しても良い。ドアロックシステム１１４は、無線磁気感知アラーム又は無線音及び光アラームに対応しても良い。例えば、ドアロックシステム１１４は、動き検出及び赤外線動き検出に対応しても良い。ドアロックシステム１１４は、ハンドヘルド遠隔制御装置のための無線アラーム入力、ドア磁気感知アラーム、煙アラーム、ガスアラーム、振動アラーム等に対応しても良い。ドアロックシステム１１４は、１つのデジタルラインインアラーム入力に対応しても良い。さらに、ドアロックシステム１１４は、防衛システムを起動するために、サーバを介してアラーム信号を送出する機能を有しても良い。換言すると、ドアロックシステム１１４は、受動型赤外線センサ（passive  infrared  sensor）により検出された動きにより又は任意の他の上述のアラームによりトリガされたトリガ信号に従って、アラーム信号を制御インタフェース１０２へ送出し、ユーザに警告しても良い。アラーム信号は、遠隔サーバ内に格納されても良く、又はＳＭ��により示されても良い。同様に、ドアロックシステム１１４は、ＰＯＥモジュールにより給電されても良い。
【００１３】
別の実施形態では、Ｗｉ−Ｆｉルータ１０４は、３Ｇ無線ルータにより置き換えられても良い。制御インタフェース１０２は、３Ｇ無線ルータに接続し次にブリッジ１０６に接続するために、３Ｇ無線ネットワークを介して信号を送出し、次に遠隔制御システム１００の装置を円アック制御するために、３Ｇ信号を４３３ＭＨｚの低周波数信号にダウンコンバートしても良い。
【００１４】
図２は、本発明の別の実施形態による遠隔制御システム２００を示す図である。遠隔制御システム２００は、アクセスポイント２０２及び第２の低周波数制御モジュール２０４を有する。遠隔制御システム２００の全ての他の装置は、図１と同じである。第２の低周波数制御モジュール２０４は、第１の低周波数制御モジュール１０８と同様の方法で機能し、４３３ＭＨｚの低周波数信号を送信するよう構成される。遠隔制御システム２００内にアクセスポイント２０２及び第２の低周波数制御モジュール２０４を有する目的は、遠隔制御システム２００内で制御可能な装置の距離及び数を拡大することである。本発明は１つのアクセスポイントを含むがこれに限定されない。他の実施形態では、複数のアクセスポイント及び複数の低周波数制御モジュールが、システムに追加されても良い。
【００１５】
図３は、本発明の別の実施形態による遠隔制御システム３００を示す図である。遠隔制御システム３００の第１の低周波数制御モジュール３０８は、赤外線放射体３１０を更に有する。第１の低周波数制御モジュール３０８は、低周波数信号の制御命令を受信し赤外線信号を赤外線放射体３１０を介して赤外線遠隔制御部３０２へ送信した後、低周波数信号を赤外線信号に変換しても良い。次に、赤外線遠隔制御部３０２は、テレビのような赤外線受信機を有する装置を制御しても良い。
【００１６】
纏めると、本発明は、遠隔制御システムの装置を制御するために、高周波数Ｗｉ−Ｆｉ信号を低周波数信号にダウンコンバートできる。４３３ＭＨｚ低周波数信号の理想的な送信距離は、１乃至２キロメートルに到達できる。これは、Ｗｉ−Ｆｉ信号又はＢｌｕｅｔｏｏｔｈ（登録商標）信号の送信距離よりも遙かに長い。さらに、低周波数信号は、室内仕切りにより遮断されることが少なく、広範な無線送信領域をカバーし、それによりＷｉ−Ｆｉ信号又はＢｌｕｅｔｏｏｔｈ（登録商標）信号に固有の短い送信距離のような欠点を解決する。また、本発明の遠隔制御システムは、センサにより検知された環境条件に従って、被制御装置のパラメータを自動的に調整できる。
【００１７】
当業者は、本発明の教示を守りつつ、装置及び方法の多くの変更及び代替に直ちに気付くだろう。したがって、上述の開示は、添付の請求の範囲の境界によってのみ限定されると考えられるべきである。
【符号の説明】
【００１８】
１００、２００、３００  遠隔制御システム
１０２  制御インタフェース
１０４  ＷｉＦｉルータ
１０６  ブリッジ
１０８  第１の低周波数制御モジュール
１１０  スイッチ
１１２  センサ
１１４  ドアロックシステム
２０２  アクセスポイント
２０４  第２の低周波数制御モジュール
３０２  赤外線遠隔制御装置
【要約】
【課題】  Ｗｉ−Ｆｉ信号より低い通信周波数を有する遠隔制御システムを提供する。
【解決手段】  遠隔制御システムは、制御インタフェース、Ｗｉ−Ｆｉルータ、ブリッジ、及び低周波数制御モジュールを有する。Ｗｉ−Ｆｉルータは、Ｗｉ−Ｆｉ信号を介して制御インタフェースと通信するために制御インタフェースに接続される。ブリッジは、Ｗｉ−Ｆｉルータから出力されたＷｉ−Ｆｉ信号を低周波数信号にダウンコンバートし、受信した低周波数信号をＷｉ−Ｆｉ信号にアップコンバートするために、Ｗｉ−Ｆｉルータに接続される。低周波数制御モジュールは、低周波数信号を介してブリッジと通信するためにブリッジに接続される。
【選択図】  図１【図１】
0005469268.tif 000002
【図２】
0005469268.tif 000003
【図３】
0005469268.tif 000004